(57)【要約】【課題】  台紙に付着された帳票に記載されている文字を正確に認識することができる文字認識装置及びその制御方法を提供する。【解決手段】  帳票の付着後の台紙の付着範囲を含む領域を光学的に読み取ってその読み取り結果の映像をデータとして出力する光学読取手段と、画像のうちの付着範囲の露出部分の形状に応じて画像上の帳票の位置及び傾きを検出する帳票検出手段と、画像のうちの帳票の位置に対応する部分を帳票画像として抽出する帳票画像抽出手段と、帳票画像を傾きに応じて傾き補正する傾き補正手段と、傾き補正後の帳票画像中の文字を認識する文字認識手段と、を備える。【選択図】  図１
2013037386.tif 000002
【特許請求の範囲】
【請求項１】
付着範囲が指定された台紙の前記付着範囲内に付着された前記帳票に記載されている文字を認識する文字認識装置であって、
前記帳票の付着後の前記台紙の前記付着範囲を含む領域を光学的に読み取ってその読み取り結果の映像をデータとして出力する光学読取手段と、
前記画像のうちの前記付着範囲の露出部分の形状に応じて前記画像上の前記帳票の位置及び傾きを検出する帳票検出手段と、
前記画像のうちの前記帳票の位置に対応する部分を帳票画像として抽出する帳票画像抽出手段と、
前記帳票画像を前記傾きに応じて傾き補正する傾き補正手段と、
前記傾き補正後の前記帳票画像中の文字を認識する文字認識手段と、を備えることを特徴とする文字認識装置。
【請求項２】
前記帳票検出手段は、前記画像のうちの前記付着範囲の露出部分の形状の凹頂点を検出する凹頂点検出手段と、前記凹頂点を結ぶ直線によって形成される範囲を前記帳票として前記画像上の前記帳票の位置及び傾きを検出する帳票位置及び傾き検出手段と、を含むことを特徴とする請求項１記載の文字認識装置。
【請求項３】
前記付着範囲は前記帳票の４隅に対応した４つの同一形状の帳票検出用マークによって示されていることを特徴とする請求項１又は２記載の文字認識装置。
【請求項４】
前記帳票検出用マークは前記帳票の色とは異なる色で印刷されていることを特徴とする請求項３記載の文字認識装置。
【請求項５】
前記帳票の４隅各々は前記帳票検出用マーク内に貼付されることを特徴とする請求項３又は４記載の文字認識装置。
【請求項６】
前記帳票検出用マーク各々には前記帳票の隅部分が挿入される切り込みが形成されていることを特徴とする請求項３又は４記載の文字認識装置。
【請求項７】
付着範囲が指定された台紙の前記付着範囲内に付着された前記帳票に記載されている文字を認識する文字認識装置の制御方法であって、
前記帳票の付着後の前記台紙の前記付着範囲を含む領域を光学的に読み取ってその読み取り結果の映像をデータとして出力する光学読取ステップと、
前記画像のうちの前記付着範囲の露出部分の形状に応じて前記画像上の前記帳票の位置及び傾きを検出する帳票検出ステップと、
前記画像のうちの前記帳票の位置に対応する部分を帳票画像として抽出する帳票画像抽出ステップと、
前記帳票画像を前記傾きに応じて傾き補正する傾き補正ステップと、
前記傾き補正後の前記帳票画像中の文字を認識する文字認識ステップと、を含むことを特徴とする文字認識装置の制御方法。
【発明の詳細な説明】
【技術分野】
【０００１】
本発明は、台紙に付着された帳票に記載されている文字を認識する文字認識装置及びその制御方法に関する。
【背景技術】
【０００２】
各種の帳票に記載された内容をデータ化するために文字認識方法が利用されている。例えば、特許文献１及び２には、帳票をキャリアシートと透明シートとの間に挟持させて搬送してスキャナやイメージセンサで帳票を読み取る方法が示されている。特許文献１の方法では、グレー色調を有するキャリアシートの面を、そのキャリアシートに面接触状態で保持されキャリアシートより面積の小さい帳票の読み取り面とともに光学的に読み取り、読み取られた面のうち前グレー色調を有する領域を検出することにより帳票の領域を検出して、その帳票の領域の情報を識別することが行われる。また、特許文献２の方法では、キャリアシートの帳票の支持面の色と帳票の色とを異ならせて両者間に色差を持たせてイメージセンサ上で帳票のエッジを特定し、帳票の画像情報の読み取ることが行われる。
【先行技術文献】
【特許文献】
【０００３】
【特許文献１】特開２００８−１００１０号公報
【特許文献２】特開２００３−１６２０１７号公報
【発明の概要】
【発明が解決しようとする課題】
【０００４】
しかしながら、一般に、帳票は台紙（帳票台紙）に貼り付けられて整理されることが多い。そのため、帳票台紙に貼り付けられた帳票は帳票台紙上の所望の貼付位置からずれていたり、或いは傾いたりしているので、帳票に記載された内容を正しく読み取ることができない場合があった。
【０００５】
そこで、本発明の目的は、台紙に付着された帳票に記載されている文字を正確に認識することができる文字認識装置及びその制御方法を提供することである。
【課題を解決するための手段】
【０００６】
本発明の文字認識装置は、付着範囲が指定された台紙の前記付着範囲内に付着された前記帳票に記載されている文字を認識する文字認識装置であって、前記帳票の付着後の前記台紙の前記付着範囲を含む領域を光学的に読み取ってその読み取り結果の映像をデータとして出力する光学読取手段と、前記画像のうちの前記付着範囲の露出部分の形状に応じて前記画像上の前記帳票の位置及び傾きを検出する帳票検出手段と、前記画像のうちの前記帳票の位置に対応する部分を帳票画像として抽出する帳票画像抽出手段と、前記帳票画像を前記傾きに応じて傾き補正する傾き補正手段と、前記傾き補正後の前記帳票画像中の文字を認識する文字認識手段と、を備えることを特徴ととしている。
【０００７】
本発明の文字認識装置の制御方法は、付着範囲が指定された台紙の前記付着範囲内に付着された前記帳票に記載されている文字を認識する文字認識装置の制御方法であって、前記帳票の付着後の前記台紙の前記付着範囲を含む領域を光学的に読み取ってその読み取り結果の映像をデータとして出力する光学読取ステップと、前記画像のうちの前記付着範囲の露出部分の形状に応じて前記画像上の前記帳票の位置及び傾きを検出する帳票検出ステップと、前記画像のうちの前記帳票の位置に対応する部分を帳票画像として抽出する帳票画像抽出ステップと、前記帳票画像を前記傾きに応じて傾き補正する傾き補正ステップと、前記傾き補正後の前記帳票画像中の文字を認識する文字認識ステップと、を含むことを特徴としている。
【発明の効果】
【０００８】
本発明の文字認識装置及びその制御方法によれば、台紙のうちの帳票が付着された付着範囲を含む領域を光学的に読み取ってその読み取り結果の映像のうちの付着範囲の露出部分の形状に応じて画像上の帳票の位置及び傾きを検出するので、画像のうちの帳票の位置に対応する部分を帳票画像として抽出し、帳票画像を傾きに応じて傾き補正することにより、傾き補正後の帳票画像は台紙に付着された帳票を傾きなく表した映像となる。よって、傾き補正後の帳票画像に対して文字認識すれば正確な文字認識結果を得ることができる。
【図面の簡単な説明】
【０００９】
【図１】本発明の実施例として文字認識装置の構成を示すブロック図である。
【図２】帳票が貼付される台紙、帳票、及び帳票の台紙への貼付例を示す図である。
【図３】図１の装置中の制御部の動作を示すフローチャートである。
【図４】図３の動作中の画像抽出処理を具体的に示すフローチャートである。
【図５】マークの露出部分の例、並びにその露出部分の凸頂点及び凹頂点を示す図である。
【図６】帳票の位置及び傾きを示す図である。
【図７】抽出された帳票の画像データを示す図である。
【図８】マークの切れ込み及び帳票の隅部分の切れ込みへの差し込み例を示す図である。
【発明を実施するための形態】
【００１０】
以下、本発明の実施例を図面を参照しつつ詳細に説明する。
【００１１】
図１は本発明の実施例として文字認識装置を示している。この文字認識装置は、台紙（帳票台紙）１に貼付された帳票（図２(b)の符号１１）に記載されている文字を認識する装置である。文字認識装置は、画像入力処理部２、入力画像メモリ３、帳票検出部４、帳票画像補正部５、帳票画像メモリ６、文字認識部７、制御部８、入力部９、及び表示部１０を備えている。これら各部２〜１０はバス１５によって互いに接続されている。
【００１２】
画像入力処理部２は、例えば、イメージスキャナからなる光学読取手段であり、帳票台紙１を読み取って画像データとして出力する。入力画像メモリ３は画像入力処理部２から出力された画像データを格納する。
【００１３】
帳票検出部４は凹頂点検出手段、帳票位置及び傾き検出手段及び帳票画像抽出手段を構成し、入力画像メモリ３に格納されている帳票台紙１の画像データから後述の帳票検出用マーク１２ａ〜１２ｄを検出し、帳票１１の位置及び傾きを検出する。
【００１４】
帳票画像補正部５は傾き補正手段であり、帳票検出部４によって検出された位置及び傾きの情報に基づいて入力画像メモリ３に格納されている台帳帳票１の画像データから帳票１１部分の画像データを抽出し、その画像データを傾き補正する。帳票画像メモリ６は帳票画像補正部５によって補正された画像データを格納する。
【００１５】
文字認識部７は文字認識手段であり、帳票画像メモリ６に格納されている帳票１１の画像データに対して文字認識を実行する。
【００１６】
制御部８は、文字認識装置全体を後述するように制御するものである。入力部９は、例えば、キーボードやマウスからなり、オペレータの入力操作を受け入れる。表示部１０は、例えば、液晶ディスプレイからなり、オペレータに対して情報を表示する。
【００１７】
入力画像メモリ３、帳票検出部４、帳票画像補正部５、帳票画像メモリ６、文字認識部７、制御部８、入力部９、及び表示部１０はＰＣ（パーソナルコンピュータ）によって構成することができる。
【００１８】
帳票台紙１は図２(a)に示すように縦方向に若干長手の長方形の用紙であり、帳票台紙１に貼付される帳票１１は図２(b)に示すように帳票台紙１より小さいサイズで横方向に長手の長方形の紙片である。帳票台紙１には帳票１１の貼付位置を定める正方形で暗色の４つの帳票検出用マーク１２ａ〜１２ｄが印刷されている。４つのマーク１２ａ〜１２ｄの配置位置は帳票１１のサイズに対応した付着範囲を示している。
【００１９】
また、４つのマーク１２ａ〜１２ｄの各縦横の辺方向は帳票台紙１の縦横の辺方向と同一である。帳票１１の長手の辺方向が帳票台紙１の短手の辺方向にほぼ一致した状態で帳票１１の左上隅が左上のマーク１２ａ上に位置するとき帳票１１のその他の３つの隅（左下隅、右上隅、右下隅）は他のマーク１２ｂ〜１２ｄ（左下、右下、右上のマーク）上に位置する。帳票１１はその４隅がマーク１２ａ〜１２ｄ上に位置するように帳票台紙１に貼付されるとする。図２(c)に示すように、帳票１１が帳票台紙１に対して若干の傾きをもって貼付された場合でも帳票１１の４つの隅をマーク１２ａ〜１２ｄ上に位置させることができる。各マーク１２ａ〜１２ｄの帳票台紙１上における位置は座標データとして保存されている。
【００２０】
かかる構成の文字認識装置においては、オペレータによって入力部９に対して動作開始の入力操作が行われると、入力部９から動作開始の指令が制御部８に供給される。制御部８は動作開始の指令に応じて、図３に示すように、画像入力処理（ステップＳ１）、画像抽出処理（ステップＳ２）、そして、文字認識処理（ステップＳ３）の順に制御動作を実行する。なお、動作開始の入力操作の前にオペレータによって画像入力処理部２に読み取りのための帳票台紙１がセットされたとする。
【００２１】
画像入力処理（光学読取ステップ）では、制御部８は画像入力処理部２に読み取り開始を指示し、その読み取り指示に応じて画像入力処理部２はセットされた帳票台紙１を読み取る。帳票台紙１の読み取りにより帳票台紙１についての画像がデータとして得られる。制御部８の制御により画像データは画像入力処理部２から入力画像メモリ３に供給され、入力画像メモリ３に格納される。
【００２２】
画像抽出処理では、制御部８は帳票検出部４に画像抽出処理の指示を発し、その指示に応答して、図４に示すように、帳票検出部４は入力画像メモリ３に格納された画像データを読み出し（ステップＳ２１）、その画像データから帳票検出用マーク１２ａ〜１２ｄの露出部分の凹頂点を検出し（ステップＳ２２）、その凹頂点を結ぶ範囲を帳票１１としてその帳票１１の位置及び傾きを検出する（ステップＳ２３）。ステップＳ２２及びＳ２３が帳票検出ステップである。
【００２３】
左上、左下、右下、右上のマーク１２ａ〜１２ｄ各々は貼付された帳票１１によって部分的に隠されており、その他の部分が露出している。例えば、左上のマーク１２ａの露出部分は図５に示すような形状である。このマーク１２ａの露出部分の形状の凹頂点の座標を検出することが行われる。図５の場合に、マーク１２ａの露出部分には、帳票１１と接していない３つの凸頂点Ａ，Ｂ，Ｃの他に帳票１１と接した２つの凸頂点Ｄ，Ｅがあり、凹頂点Ｆは凸頂点Ｄ，Ｅから伸びた直線が交わる点であり、帳票１１の１つの隅である。左下、右下、右上のマーク１２ｂ〜１２ｄ各々の露出部分についても１つの凹頂点が存在する。凹頂点の検出方法としては、例えば、輪郭追跡を行って検出する方法、Hough変換などで直線を検出してその交点を求める方法等の方法を用いることができる。図６に示すように、左上、左下、右上、右下のマーク１２ａ〜１２ｄ各々の露出部分の凹頂点Ｆ〜Ｉの座標が検出されると、その凹頂点の座標を左上のマーク１２ａから左下のマーク１２ｂ、右下のマーク１２ｃ、右上のマーク１２ｄ、そして左上のマーク１２ａの順に結んだ直線で囲まれた範囲が帳票１１が位置する部分であるとして検出される。また、左上のマーク１２ａの露出部分の凹頂点Ｆを通る帳票台紙１の短手方向の直線と、左上のマーク１２ａの露出部分の凹頂点Ｆと右上のマーク１２ｄの露出部分の凹頂点Ｉとを結ぶ直線との角度θが傾きとして検出される。これらの検出位置及び傾き情報は帳票画像補正部５に供給される。
【００２４】
帳票画像補正部５は制御部８の指示に応じて入力画像メモリ３に格納された画像データのうちから帳票１１の位置部分の画像データ（帳票画像）を抽出し（ステップＳ２４：帳票画像抽出ステップ）、その傾き補正する（ステップＳ２５：傾き補正ステップ）。この結果、図７に示すように、傾きがない帳票１１の画像データが得られる。この画像データは制御部８の指示に応じて帳票画像メモリ６に格納される（ステップＳ２６）。
【００２５】
次に、文字認識処理（文字認識ステップ）では、制御部８の指示に応じて文字認識部７が帳票格納メモリ６に格納された画像データに対して文字認識を行い、認識結果を表示部１０に出力する。この結果、帳票１１に記された文字が表示部１０に表示される。
【００２６】
このように、帳票１１が貼付された帳票台紙１において帳票１１によるマークの露出形状によって帳票１１の位置及び傾きが情報として検出され、その検出された位置情報に応じて帳票１１部分の画像データが抽出され、更に傾き情報に応じて抽出画像データに対して傾き補正が行われるので、傾き補正後の画像データは帳票台紙１に貼付された帳票１１を傾きなく表している故にその補正後の画像データを文字認識のために用いることにより文字認識を正しく実行することができる。
【００２７】
なお、上記した実施例では、帳票台紙１に帳票検出用マーク１２ａ〜１２ｄを印刷し、その上に帳票１１を貼り付ける場合について記載したが、帳票検出用マーク１２ａ〜１２ｄに切り込みを入れ、帳票１１をその切り込みに差し込んでも良い。図８(a)に示すように、帳票検出用マーク１２ａの部分では切り込み１３が付けられ、そこに帳票１１の左上隅の部分が差し込まれる。その場合においては、帳票検出部４は画像抽出処理において図８(b)に示すようにマーク１２ａについて２つの凹頂点Ｊ，Ｋを検出する。マーク１２ａ〜１２ｄ各々で２つの凹頂点が検出され、全部で８つの凹頂点に基づいて帳票１１の位置及び傾きが検出されるので、帳票１１の位置部分の画像データを抽出してその画像データの傾き補正をすることができる。なお、帳票１１がマーク１２ａ〜１２ｄに切り込みに差し込まれると、帳票１１の傾きがあっても小さいので、画像データの傾き補正処理は容易となる。
【００２８】
更に、帳票検出用マークに剥離性の糊を塗布することによって、帳票の浮上りを低減する形態も可能である。
【００２９】
また、上記した実施例においては、台紙１における帳票１１の付着範囲が４つの暗色のマーク１２ａ〜１２ｄで指定されているが、付着範囲全部を暗色で印刷しても良い。更に、帳票１１のサイズは定型でも良いし、非定型でも良い。付着範囲は帳票１１のサイズより縦横共に若干大きくされていれば良い。また、マーク１２ａ〜１２ｄは四角形に限らず、楕円形等の他の形状でも良く、またマーク１２ａ〜１２ｄの色は帳票１１の色と異なれば良い。
【符号の説明】
【００３０】
１  台紙
２  画像入力処理部
３  入力画像メモリ
４  帳票検出部
５  帳票画像補正部
６  帳票画像メモリ
７  文字認識部
８  制御部
９  入力部
１０  表示部
１１  帳票
１２ａ〜１２ｄ  帳票検出用マーク
【図１】
2013037386.tif 000003
【図２】
2013037386.tif 000004
【図３】
2013037386.tif 000005
【図４】
2013037386.tif 000006
【図５】
2013037386.tif 000007
【図６】
2013037386.tif 000008
【図７】
2013037386.tif 000009
【図８】
2013037386.tif 000010